(57)【特許請求の範囲】
【請求項１】
新通貨単位の硬貨である新硬貨と、旧通貨単位の硬貨である旧硬貨とを混合状態で１枚ずつ繰り出す硬貨繰出し手段と、
この硬貨繰出し手段によって繰り出された硬貨の金種を識別する識別手段と、
新硬貨および旧硬貨をそれぞれ一時保留するための新硬貨保留部および旧硬貨保留部と、
新硬貨および旧硬貨をそれぞれ選別して前記新硬貨保留部および前記旧硬貨保留部に入れる選別手段と、
前記新硬貨保留部および前記旧硬貨保留部からそれぞれ新硬貨および旧硬貨を受け入れて収納する新硬貨収納部および旧硬貨収納部と、
前記識別手段による識別結果に基づいて、新通貨単位の合計金額および旧通貨単位の合計金額をそれぞれ計数する計数手段と、
この計数手段によって計数された旧通貨単位の合計金額を所定の換算レートに基づいて新通貨単位に換算した換算金額を算出すると共に、前記計数手段によって計数された新通貨単位の合計金額と前記換算金額とを合計した新通貨単位の総合計金額を算出する演算手段と、
前記新通貨単位の合計金額、前記旧通貨単位の合計金額、前記換算金額および前記新通貨単位の総合計金額を表示する表示手段と、
この表示手段による表示内容に対して入金承認指示を行う承認指示手段と、
この承認手段による入金承認指示に応じて、各硬貨保留部に一時保留された新硬貨および旧硬貨をそれぞれ対応する硬貨収納部に収納し、前記新通貨単位の総合計金額による入金処理を行う入金処理手段と
を備えたことを特徴とする硬貨入金装置。
【請求項２】
前記承認手段に代わって前記入金承認指示を行うと共に、印字指示を行う印字指示手段と、
この印字指示手段による印字指示に応じて前記表示手段の表示内容の少なくとも一部を印字出力する印字手段と
をさらに備えたことを特徴とする請求項１記載の硬貨入金装置。
【請求項３】
前記選別手段は、新硬貨を金種ごとに選別すると共に、旧硬貨を金種に拘らず選別するように構成され、
前記新硬貨保留部および前記新硬貨収納部は、それぞれ新硬貨を金種ごとに一時保留および収納するよう金種別に設けられ、
前記旧硬貨保留部および前記旧硬貨収納部は、それぞれ旧硬貨を金種混合状態で一時保留および収納するように設けられている、
ことを特徴とする請求項１又は２記載の硬貨入金装置。
【発明の詳細な説明】
【０００１】
【発明の属する技術分野】
本発明は、複数の金種を含む硬貨を選別、計数して入金処理を行うための硬貨入金装置に関する。
【０００２】
【従来の技術】
従来の硬貨入金装置には、円やドル等の単一通貨単位の硬貨のみを入金対象として、それ以外の通貨単位の硬貨は全てリジェクトしてしまうものしか存在しない。なお、円からドル、ドルから円のように他の通貨単位に換算した金額で入金処理を行う硬貨入金装置もあるが、単一通貨単位の硬貨のみを入金対象とする点は変わらない。
【０００３】
【発明が解決しようとする課題】
しかしながら、例えば欧州連合諸国においては各国の旧通貨単位から新通貨単位であるユーロへの切り替えが行われている。このため、新通貨単位と旧通貨単位の両通貨単位の硬貨を入金対象とし、新通貨単位での総合計金額にて入金処理を行うことができれば非常に便利である。
【０００４】
そこで本発明は、新通貨単位と旧通貨単位の両通貨単位の硬貨を入金対象とし、新通貨単位での総合計金額にて入金処理を行えるような硬貨入金装置を提供することを目的とする。
【０００５】
【課題を解決するための手段】
第１の発明 は、新通貨単位の硬貨である新硬貨と、旧通貨単位の硬貨である旧硬貨とを混合状態で１枚ずつ繰り出す硬貨繰出し手段と、この硬貨繰出し手段によって繰り出された硬貨の金種を識別する識別手段と、新硬貨および旧硬貨をそれぞれ一時保留するための新硬貨保留部および旧硬貨保留部と、新硬貨および旧硬貨をそれぞれ選別して前記新硬貨保留部および前記旧硬貨保留部に入れる選別手段と、前記新硬貨保留部および前記旧硬貨保留部からそれぞれ新硬貨および旧硬貨を受け入れて収納する新硬貨収納部および旧硬貨収納部と、前記識別手段による識別結果に基づいて、新通貨単位の合計金額および旧通貨単位の合計金額をそれぞれ計数する計数手段と、この計数手段によって計数された旧通貨単位の合計金額を所定の換算レートに基づいて新通貨単位に換算した換算金額を算出すると共に、前記計数手段によって計数された新通貨単位の合計金額と前記換算金額とを合計した新通貨単位の総合計金額を算出する演算手段と、前記新通貨単位の合計金額、前記旧通貨単位の合計金額、前記換算金額および前記新通貨単位の総合計金額を表示する表示手段と、この表示手段による表示内容に対して入金承認指示を行う承認指示手段と、この承認手段による入金承認指示に応じて、各硬貨保留部に一時保留された新硬貨および旧硬貨をそれぞれ対応する硬貨収納部に収納し、前記新通貨単位の総合計金額による入金処理を行う入金処理手段とを備えたことを特徴とする硬貨入金装置である。
【０００６】
この第１の発明によれば、新通貨単位と旧通貨単位の両通貨単位の硬貨を入金対象とし、新通貨単位の総合計金額による入金処理を行うことができる。また、表示手段により新通貨単位の合計金額、旧通貨単位の合計金額、換算金額および新通貨単位の総合計金額を表示することで、それぞれの金額を予め的確に把握し確認した上で、入金承認指示により最終的な入金処理を行うことができる。
【０００７】
第２の発明 は、第１の発明において、前記承認手段に代わって前記入金承認指示を行うと共に、印字指示を行う印字指示手段と、この印字指示手段による印字指示に応じて前記表示手段の表示内容の少なくとも一部を印字出力する印字手段とをさらに備えたものである。
【０００８】
この第２の発明によれば、印字指示手段により入金承認指示および印字指示を行うことで、最終的な入金処理を行うと共に、その入金処理の内容を印字出力により記録することができる。
【０００９】
第３の発明 は、第１又は第２の発明において、前記選別手段は、新硬貨を金種ごとに選別すると共に、旧硬貨を金種に拘らず選別するように構成され、前記新硬貨保留部および前記新硬貨収納部は、それぞれ新硬貨を金種ごとに一時保留および収納するよう金種別に設けられ、前記旧硬貨保留部および前記旧硬貨収納部は、それぞれ旧硬貨を金種混合状態で一時保留および収納するように設けられているものである。
【００１０】
この第３の発明によれば、再利用される新硬貨は金種ごとに回収し、再利用されずに処分される旧硬貨は混合状態で回収することで、効率的な硬貨の回収を行うことができる。
【００１１】
【発明の実施の形態】
次に、図面を参照して本発明の一実施形態について説明する。図１乃至図１４は本発明による硬貨入金装置の実施の形態を示す図である。以下、本実施形態の全体および主要部の構成、各部の具体的構成、動作・作用および効果、並びに変形例について順次説明する。
【００１２】
［全体および主要部の構成］
まず、本実施形態の硬貨入金装置は、新通貨単位の硬貨であるユーロ硬貨（新硬貨）と、これらのユーロ硬貨への切り替え対象となる旧通貨単位の硬貨である旧硬貨（ドイツマルク硬貨等）とが混在したものを入金処理の対象としている。そのうちユーロ硬貨は（直径を基準とし）以下の２つのグループに大別可能な８つの金種を含んでいる（以下、「セントユーロ」を単に「セント」と略す）。
【００１３】
（１）中径硬貨グループ
（直径の小さい順に）２０セント、１ユーロ、５０セント及び２ユーロの４金種
（２）小径硬貨グループ
（直径の小さい順に）１セント、２セント、１０セント及び５セントの４金種
また、旧硬貨には、（２ユーロ硬貨よりも直径の大きい硬貨として）他のグループから大別される「大径硬貨グループ」に属する直径の硬貨（大径硬貨）の他、中径硬貨グループや小径硬貨グループに属する直径の硬貨（中径硬貨および小径硬貨）も含まれる。
【００１４】
ここで図１には、本実施形態の硬貨入金装置の外観が示されている。図１に示す硬貨入金装置は、硬貨に対する実際の処理を行う硬貨処理部１１０を備えている。この硬貨処理部１１０の後方には、硬貨処理部１１０よりも上方へ突出した情報処理部１００が設けられている。この情報処理部１００の前面には、タッチパネル式ディスプレイからなる表示・操作部１００ａ、カード挿入口１００ｂ及びレシート発行口１００ｃが配設されている。また、硬貨処理部１１０の上面には、入金硬貨を受け入れるためのホッパ１１２が設けられている。このホッパ１１２の底部前側には、ホッパ１１２から硬貨処理部１１０内へ硬貨を流入させるための流入口１１２ａが形成されている。
【００１５】
また、硬貨処理部１１０には、それぞれ前方に引き出し可能なリジェクト箱１１４、返却箱１１６及び収納ユニット１２０が設けられている。このうち収納ユニット１２０は、図５及び図６に示すように、複数の硬貨収納カセット１２４ａ〜１２４ｊと、これらの収納カセット１２４ａ〜１２４ｊをそれぞれ着脱自在に保持する台車状の引出部１２２とを有している。
【００１６】
硬貨収納カセット１２４ａ〜１２４ｊは、新硬貨用の硬貨収納カセット（新硬貨収納部）１２４ａ〜１２４ｈと、旧硬貨用の硬貨収納カセット（旧硬貨収納部）１２４ｉ，１２４ｊとに大別される。また、図６に示すように、引出部１２２には、前面壁部１２２ａと、４つのキャスター１２２ｂとが設けられている。なお、図５及び図６から分かるように、収納ユニット１２０と上記返却箱１１６とは、相互に独立して、別個に引き出し可能に設けられている。
【００１７】
次に、硬貨入金装置は、図２に示すような制御部（計数手段、演算手段、入金処理手段）Ｕを備えている。この制御部Ｕには、上記表示・操作部１００ａを構成する表示部（表示手段）１０１〜１０４及び操作部１０５〜１０７が接続されている。また、制御部Ｕには、上記カード挿入口１００ｂに対応したカード読取部Ｒと、上記レシート発行口１００ｃに対応した印字部（印字手段）Ｐとが接続されている。また、制御部Ｕには、後述するような識別部（識別計数手段）Ｄ、大径硬貨用の計数センサ１９ｓ及び一時保留部１３０の駆動回路（後述）が接続されている。
【００１８】
図３には、上記表示・操作部１００ａ（図１）を構成する表示部１０１〜１０４及び操作部１０５〜１０７の具体例（タッチパネル式ディスプレイの画面表示内容）が示されている。図３に示す画面には、新通貨単位の合計金額１０１、旧通貨単位の合計金額１０２、新通貨単位への換算金額１０３及び新通貨単位の総合計金額１０４の各表示部が含まれている。
【００１９】
また、操作部としては、印字ボタン（印字指示手段）１０５、承認ボタン（承認指示手段）１０６及び取消ボタン１０７が含まれている。このうち、印字ボタン１０５は、制御部Ｕ（図２）に対して、入金処理の承認指示を行うと共に、印字部Ｐ（図２）にレシートの印字出力を行わせる印字指示を行うためのものである。また、承認ボタン１０６は、制御部Ｕ（図２）に対して入金処理の承認指示を単独で行うためのものである。
【００２０】
この表示・操作部１００ａは、口座番号等を入力するためのテンキー入力画面等の他の画面を表示することもできるようになっている。なお、口座番号等の入力は、上記カード挿入口１００ｂ（図１）に挿入したカードの記録情報をカード読取部Ｒ（図２）で読み取ることによって行うこともできる。
【００２１】
図４には、上記印字部Ｐ（図２）によって印字出力されるレシートの印字内容の具体例が示されている。図４に示すレシートには、上記表示・操作部１００ａにおける表示部１０１〜１０４の表示内容と同様、新通貨単位の合計金額１０１、旧通貨単位の合計金額１０２、新通貨単位への換算金額１０３及び新通貨単位の総合計金額１０４が印字されている。また、このレシートには、各通貨単位ごとに入金硬貨の金種Ｉ１、枚数Ｉ２及び金額Ｉ３の内訳も印字されている。
【００２２】
次に、硬貨入金装置は、多数の金種を含む複数の硬貨を金種ごとに選別するための、図７に示すような硬貨選別ユニットＳを備えている。この硬貨選別ユニットＳは、図１に示す硬貨入金装置の硬貨処理部１１０内に設けられている（図５参照）。図７に示す硬貨選別ユニットＳは、複数の硬貨を予め３つのグループに大別するための大別部Ａと、この大別部Ａによって大別されたグループのうち２つのグループの硬貨を、それぞれ金種ごとに選別するための２つの金種選別部（選別手段）Ｂ１，Ｂ２とを有している。
【００２３】
ここで、図７及び図８に示すように、大別部Ａは、固定円盤１と、この固定円盤１の底面に重ね合わされた状態で回転する回転円盤２とを備えている。その固定円盤１は中心部に、上記硬貨流入口１１２ａに対応した硬貨投入口１ａを有している。そして、この大別部Ａは、固定円盤１の硬貨投入口１ａから投入された硬貨が、回転円盤２の回転に伴って、固定円盤１の底面に対して摺動するように構成されている。また、固定円盤１は、その底面に対して摺動する硬貨を、（後述するように）グループごとに選択的に案内するための案内通路を有している。
【００２４】
次に、各金種選別部Ｂ１，Ｂ２は、図７に示すように、選別すべき硬貨Ｃを１枚ずつ略水平に案内するための搬送路３−１，３−２を備えている。そして、各搬送路３−１，３−２上に、当該搬送路に沿って硬貨Ｃを搬送するための搬送手段４が設けられている。また、各搬送路３−１，３−２に沿って、選別すべき金種ごとの選別孔５ａ〜５ｄ,５ｅ〜５ｈが、間隔を置いて順次（４つずつ）設けられている。
【００２５】
また、各金種選別部Ｂ１，Ｂ２における搬送路３−１，３−２の上流側に、それぞれ硬貨繰出し部（硬貨繰出し手段）９−１，９−２が設けられている。これらの硬貨繰出し部９−１，９−２は、大別部Ａによって大別された各グループの硬貨を、対応する搬送路３−１，３−２へ１枚ずつ繰り出すためのものである。そして、各硬貨繰出し部９−１，９−２は、硬貨大別部Ａからグループごとに放出される硬貨を受ける回転式の繰出し円盤９０を有している。各搬送路３−１，３−２の入口に対応した繰出し円盤９０の外周上には、重なり合った硬貨を分離して１枚ずつ繰り出して行くための厚み規制板９４が設けられている。なお、各繰出し円盤９０の他の外周部分は周壁９２によって囲まれている。
【００２６】
次に、各金種選別部Ｂ１，Ｂ２における搬送路３−１，３−２の上流側に、硬貨繰出し部９−１，９−２によって繰り出された各グループの硬貨の金種を識別する識別部（識別手段）Ｄがそれぞれ設けられている。各識別部Ｄとしては、例えば硬貨の材質を磁気的に検知したり、イメージ（レリーフ形状等）を光学的に検知したりして識別を行うように構成された公知のものを用いることができる。
【００２７】
また、各金種選別部Ｂ１，Ｂ２の搬送路３−１，３−２において、識別部Ｄと選別孔５ａ〜５ｄ,５ｅ〜５ｈとの間に、リジェクト選別部６ａと、旧硬貨選別部６ｂとが順次設けられている。前者のリジェクト選別部６ａは、識別部Ｄによる識別が不能な（外国硬貨や偽硬貨などの）リジェクト硬貨を、選別孔５ａ〜５ｄ,５ｅ〜５ｈの手前で予め選別するためのものである。
【００２８】
また、後者の旧硬貨選別部６ｂは、識別部Ｄによる識別結果が選別孔５ａ〜５ｄ,５ｅ〜５ｈによる選別の対象外である旧硬貨を、それら選別孔５ａ〜５ｄ,５ｅ〜５ｈの手前で予め選別するためのものである。
【００２９】
次に、上記の選別孔５ａ〜５ｄ,５ｅ〜５ｈ及び旧硬貨選別部６ｂにそれぞれ対応して、図５に示すような下方へ延びるシュート１４０が設けられている。また、各シュート１４０の下端部に対応して、硬貨を一時保留するための一時保留箱（新硬貨保留部、旧硬貨保留部）１３０がそれぞれ設置されている。これらの一時保留部１３０の下方には、返却箱１１６に連絡した返却通路１５０と、各硬貨収納カセット１２４ａ〜１２４ｄ,１２４ｉ；１２４ｅ〜１２４ｈ,１２４ｊに連絡した収納通路１５２；１５２とが設けられている。
【００３０】
各一時保留部１３０は、筒状の本体１３２と、この本体の底部を塞ぐ底板１３４とを有している。そして、各一時保留部１３０は、その幅を１ピッチとして、本体１３２と底板１３４とが互いに幅方向の反対側に半ピッチずつ移動可能に構成されている。このことにより、各一時保留部１３０は、その本体１３２が連絡通路１５０，１５２の上方まで移動した時に、それぞれ底部が全開するようになっている。このような各一時保留部１３０の動作を行う駆動回路（図示せず）が、制御部Ｕ（図２）によって制御されるようになっている。
【００３１】
ここで、図２に示す制御部Ｕは、次のように、計数手段、演算手段および入金処理手段としての機能をも有している。
【００３２】
まず、計数手段としての制御部Ｕは、識別部Ｄによる硬貨の識別結果に基づいて、新通貨単位の合計金額１０１及び旧通貨単位の合計金額１０２をそれぞれ計数する。図４のレシートにも示すように、各合計金額１０１，１０２は、各金種ごとに金種Ｉ１×枚数Ｉ２＝金額Ｉ３を求め、それらの金額Ｉ３を通貨単位ごとに合計することで求められる。
【００３３】
次に、演算手段としての制御部Ｕは、まず、計数された旧通貨単位の合計金額１０２を所定の換算レート（例えば 1.95583EURO/DEM（ユーロ／ドイツマルク））に基づいて新通貨単位に換算した換算金額１０３を算出する。そして、新通貨単位の合計金額１０１と換算金額１０３とを合計した新通貨単位の総合計金額１０４を算出する。
【００３４】
また、入金処理手段としての制御部Ｕは、印字ボタン１０５又は承認ボタン１０６（図２、図３）による入金承認指示に応じて、各一時保留部１３０に一時保留された新硬貨および旧硬貨をそれぞれ対応する硬貨収納カセット１２４ａ〜１２４ｊに収納すると共に、上記新通貨単位の総合計金額１０４による入金処理を行う。
【００３５】
［各部の具体的構成］
次に、上記の（１）大別部Ａ、（２）金種選別部Ｂ１,Ｂ２、（３）リジェクト選別部６ａ及び旧硬貨選別部６ｂの具体的構成について順次説明する。
【００３６】
（１）大別部
まず、大別部Ａの具体的構成について図７乃至図１２を参照して説明する。図７に示すように、大別部Ａを構成する固定円盤１と回転円盤２とは、互いにヒンジ部ａ１によって開閉自在に連結されている。また、ヒンジ部ａ１の反対側には、固定円盤１と回転円盤２とが重なり合って閉じた状態に固定するためのロック部ａ２が設けられている。
【００３７】
次に、図８に示すように、回転円盤２は、軸２０を介して回転自在に支持された円盤本体２２と、この円盤本体２２の上面側における外周部分に取り付けられた環状の弾性保持部２ａとを有している。弾性保持部２ａは、ゴム等の弾性材料からなり、固定円盤１との間で硬貨を保持して、回転円盤２の回転に伴って移動させると共に、固定円盤１との隙間の変化や金種による硬貨の厚さの違いを吸収できるようになっている。また、回転円盤２の中心部分上には、この部分に投入硬貨が停滞しないようにするための円錐形部材２４が設けられている。
【００３８】
図７に示すように、回転円盤２を回転駆動するためのモータ２５が設けられている。具体的には、モータ２５の回転軸に取り付けられたプーリ２６と、回転円盤２の円盤本体２２外周（図８参照）との間に、駆動ベルト２８が掛け渡されている。
【００３９】
次に、図９乃至図１２により、固定円盤１の底面１ｂに窪み状に形成された上記案内通路１０について詳細に説明する。この案内通路１０は、硬貨投入口１ａ側から外周側へ（図９では反時計回り方向に）蛇行しつつ略渦巻き状に延びている。また、案内通路１０は、硬貨投入口１ａ側から順に大径硬貨通路１０ａ、中径硬貨通路１０ｂ及び小径硬貨通路１０ｃに分けられる。図９及び図１０に示すように、大径硬貨通路１０ａは大径硬貨Ｃ１が通過可能な通路幅を有し、中径硬貨通路１０ｂは中径硬貨Ｃ２及び小径硬貨Ｃ３のみが通過可能な通路幅Ｌ１を有し、小径硬貨通路１０ｃは小径硬貨Ｃ３のみが通過可能な通路幅Ｌ２を有している。
【００４０】
図９に示すように、大径硬貨通路１０ａは、硬貨投入口１ａに面した硬貨導入部１１と、その下流側に間隔を置いて形成された２つの段差部１２ａ,１２ｂとを有している。このうち、硬貨導入部１１は、回転円盤２の弾性保持部２ａとの間の隙間が、最も厚い硬貨の厚さよりも広くなるように形成されている。このことにより、硬貨投入口１ａから入った全ての硬貨が、回転円盤２の回転による遠心力で、硬貨導入部１１へ入り込めるようになっている。
【００４１】
また、段差部１２ａ,１２ｂは、大径硬貨通路１０ａにおける回転円盤２の弾性保持部２ａとの間の隙間を下流側に向かって断続的に狭くすることで、硬貨同士の重なりを解消して、案内通路１０内での硬貨の一層一列の状態での移送を確保するためのものである。そのような硬貨Ｃの状態が図１１（図１０の（硬貨通過時における）Ｘ−Ｘ断面図）に示されている。そして、大径硬貨通路１０ａは、下流に行くに従って外周側に向かうことで、そこを通る全ての硬貨の外縁が通路内周縁１０ｉに当接するようになっている（図１０参照）。
【００４２】
次に、図９及び図１０に示すように、中径硬貨通路１０ｂの外周側には、大径硬貨Ｃ１のみを選択的に案内して略接線方向に放出するための大径硬貨案内部（選別手段）１５ａが設けられている。この、大径硬貨案内部１５ａは、乗上げ部１６ａと放出通路１７ａとを有している。このうち、乗上げ部１６ａは、大径硬貨通路１０ａと中径硬貨通路１０ｂとの間の境界部分に位置しており、中径硬貨通路１０ｂの通路幅Ｌ１より直径の大きい大径硬貨Ｃ１のみが、その外周側を乗り上げるようになっている（図１０及び図１２（図１０のＹ−Ｙ断面図）参照）。なお、乗上げ部１６ａの上流側には、硬貨の乗り上げを補助するための斜面部１６ａ’が設けられている。
【００４３】
また、放出通路１７ａは、乗上げ部１６ａに乗り上げた硬貨を略接線方向に案内する案内縁部１８ａと、この案内された硬貨を固定円盤１の外方へ放出する放出口１９ａとを有している。なお、放出口１９ａの直前に、大径硬貨Ｃ１の通過枚数を計数するための計数センサ（計数手段）１９ｓ（図９）が設けられている。この場合、全ての硬貨の外縁が通路内周縁１０ｉに当接するようになされているので、通路幅Ｌ１より小さい直径の中径硬貨Ｃ２及び小径硬貨Ｃ３は、乗上げ部１６ａに乗り上げることなく中径硬貨通路１０ｂへ通過して行くことになる。
【００４４】
次に、小径硬貨通路１０ｂにおける上流部分の外周側には、中径硬貨Ｃ２のみを選択的に案内して略接線方向に放出するための中径硬貨案内部１５ｂが設けられている。この、中径硬貨案内部１５ｂも、大径硬貨案内部１５ａと同様、乗上げ部１６ｂと放出通路１７ｂとを有している。
【００４５】
乗上げ部１６ｂは、中径硬貨通路１０ｂと小径硬貨通路１０ｃとの間の境界部分に位置しており、小径硬貨通路１０ｃの通路幅Ｌ２より直径の大きい中径硬貨Ｃ２のみが、その外周側を乗り上げるようになっている。この乗上げ部１６ｂの上流側にも、硬貨の乗り上げを補助するための斜面部１６ｂ’が設けられている。また、放出通路１７ｂは、大径硬貨案内部１５ａの放出通路１７ａと同様、案内縁部１８ｂと放出口１９ｂとを有している。
【００４６】
ここで、中径硬貨通路１０ｂも又、下流に行くに従って（一旦内周側に向かった後で）外周側に向かうことで、そこを通る全ての硬貨の外縁が通路内周縁１０ｉに当接するようになっている（図１０参照）。これにより、通路幅Ｌ２より小さい直径の小径硬貨Ｃ３は、乗上げ部１６ｂに乗り上げることなく小径硬貨通路１０ｃへ通過して行くことになる。
【００４７】
そして、小径硬貨通路１０ｃは、下流に行くに従って（一旦内周側に向かった後で）外周側に向かい、小径硬貨Ｃ３のみを選択的に案内して略接線方向に放出する小径硬貨案内部１５ｃとして（その放出口１９ｃにて）終端している。
【００４８】
なお、図７に示すように、大別部Ａの各放出口１９ａ,１９ｂ及び１９ｃに対応して、それぞれ大径硬貨落下孔８ａ、中径硬貨シュート８ｂ及び小径硬貨シュート８ｃが設けられている。このうち、大径硬貨落下投入口１ａ８ａは、硬貨収納カセット１２４ｉ又は１２４ｊ（図５及び図６）に対応した専用の一時保留部１３０（図５）に連通している。また、中径および小径硬貨シュート８ｂ,８ｃは、放出口１９ａ,１９ｂから放出された中径硬貨および小径硬貨を、それぞれ対応する硬貨繰出し部９−１，９−２へ送り込むためのものである。
【００４９】
（２）金種選別部
次に、金種選別部Ｂ１,Ｂ２の具体的構成について図７を参照して説明する。なお、リジェクト選別部６ａ及び旧硬貨選別部６ｂも金種選別部Ｂ１,Ｂ２の搬送路３−１，３−２に対応して設けられているが、これらの具体的構成については便宜上、次の（３）の項目で説明する。
【００５０】
各金種選別部Ｂ１,Ｂ２は、上述したように、それぞれ搬送路３−１，３−２、搬送手段４及び選別孔５ａ〜５ｄ,５ｅ〜５ｈを有している。このうち選別孔５ａ〜５ｄ,５ｅ〜５ｈの寸法以外の構成は両金種選別部Ｂ１,Ｂ２に共通であるから、基本的に、図７の右側に位置する中径硬貨用の金種選別部Ｂ１に関してのみ説明する。
【００５１】
まず、搬送路３−１は、硬貨選別ユニットＳ全体を支持する支持板Ｓ１（図５参照）上に設けられている。すなわち、搬送路３−１は、支持板Ｓ１上に設けられた内側通路部材３２及び外側通路部材３４と、これらの通路部材３２，３４同士の間で区画された支持板Ｓ１の表面である通路面３０とで構成されている。なお、搬送路３−１は、略直線状に延びているが、識別部Ｄとリジェクト選別部６ａとの間には、外側通路部材３４側へ僅かに屈曲した屈曲部３６（搬送路３−２側を参照）が形成されている。これにより、搬送路３−１上を搬送される硬貨Ｃの外縁が内側通路部材３２側に当接するようになされている。
【００５２】
次に、搬送手段４は、搬送路３−１上において、その終端側（図７の上方）、屈曲部３６及び入口側（図７の下方）にそれぞれ対応して設けられたプーリ４０，４１及び４２を有している。これらのプーリ４０，４１及び４１,４２間には、それぞれ搬送ベルト４３及び４４が掛け渡されている。そのうち１つのプーリ４０を回転駆動するモータ４６が設けられている。この場合、各搬送ベルト４３,４４は、硬貨Ｃが当接する内側通路部材３２の側にオフセットして配置されている。そして、硬貨の上面を押圧する搬送ベルト４３，４４の動きによって、通路面３０上を摺動するようにして硬貨の搬送が行われるようになっている（図１３（ｂ）参照）。
【００５３】
次に、各選別孔５ａ〜５ｄは、それぞれ選別すべき硬貨の直径によって異なる寸法を有した略矩形状をなして通路面３０に形成されている。この場合、各選別孔５ａ〜５ｄの一側縁は内側通路部材３２から僅かに離れている。また、これに対向した（外側通路部材３４側の）他側縁は、内側通路部材３２から、選別すべき硬貨の直径よりも僅かに大きく、当該硬貨より大径の硬貨の直径よりは小さい距離だけ離れている。
【００５４】
すなわち、各選別孔５ａ〜５ｄは、それぞれ選別すべき硬貨のみを落下させ、それより大径の硬貨は通過させるように構成されている。この目的のため、選別孔５ａ〜５ｄは、搬送路３−１の上流側から順に、選別すべき硬貨の直径が小さい順に並べられている。具体的には、各選別孔５ａ,５ｂ,５ｃ及び５ｄは、順次２０セント、１ユーロ、５０セント及び２ユーロのみを選別する（落下させる）ように構成されている。一方、小径硬貨用の金種選別部Ｂ２における各選別孔５ｅ,５ｆ,５ｇ及び５ｈは、順次１セント、２セント、１０セント及び５セントのみを選別する（落下させる）ように構成されている。
【００５５】
なお、各選別孔５ａ〜５ｄ,５ｅ〜５ｈの直前に、それぞれ硬貨の通過を確認するためのセンサＴが設けられている。これらのセンサＴは、それぞれ図２に示す制御部Ｕに接続されている。そして、識別部Ｄでの金種識別に基づく硬貨の計数に加えて、各センサＴによる硬貨の通貨確認を行うことで、制御部（計数手段）Ｕにおける計数の信頼性を向上させるようにしている。
【００５６】
（３）リジェクト選別部および旧硬貨選別部
次に、リジェクト選別部６ａ及び旧硬貨選別部６ｂの具体的構成について図１３及び図１４を参照して説明する。なお、本実施形態のリジェクト選別部６ａと旧硬貨選別部６ｂの機械的構成は同一であるので、図１３及び図１４に両者の符号６ａ,６ｂを併記して、以下「選別部６ａ,６ｂ」として説明する。
【００５７】
図１３において、選別部６ａ,６ｂは、支持板Ｓ１に形成された排除孔６０と、この排除孔６０に対応して支持板Ｓ１の裏側および上側に設けられた支持ローラ部６２及び押さえローラ６６とを有している。このうち排除孔６０は、搬送路３−１，３−２の通路面３０部分から、外側通路部材３４を寸断して、その外方まで延びている。この排除孔６０は、その一縁部が、硬貨案内面６０ａとして形成されている。
【００５８】
図１３（ａ）に示すように、硬貨案内面６０ａは、通路面３０上において、内側通路部材３２側から、搬送路幅方向の中央まで、搬送路下流側（図１３の右側）へ（約３０度の）斜め直線状に延びている。この硬貨案内面６０ａにおける内側通路部材３２側の端部は、支持ローラ部６０の軸線上に略対応した位置を有している。なお、排除孔６０の直前には、硬貨Ｃの到達検知と通過確認とを行うためのセンサＴ’が設けられている。
【００５９】
次に、図１３（ｂ）に示すように、支持ローラ部６２は、支持軸６３、偏心軸受６４及び自由ローラ６５を有している。偏心軸受６４は、支持軸６３に対して固定され、ステッピングモータ６８（図７）による支持軸６３の回動に伴って、その大径部６４ａが上方を向いた支持位置（図１３（ｂ））と、小径部６４ｂが上方を向いた排除位置（図１４（ｂ））とを切換可能となっている。また、自由ローラ６５は、偏心軸受６４の外周に自由回転可能に取り付けられている。
【００６０】
また、押さえローラ６６は、上記支持位置（図１３）において、支持ローラ部６２との間で（搬送ベルト４３を介して）硬貨Ｃを挟持したまま自由回転可能に構成されている。この場合、選別部６ａ,６ｂに到達した硬貨Ｃは、押さえローラ６６と支持ローラ部６２の自由ローラ６５との間に挟持された状態で、通路面３０上を搬送ベルト４３によって搬送され、排除孔６０上を落下することなく通過して行く。
【００６１】
これに対して、上記識別部Ｄ（図７）による識別結果が排除すべき硬貨（リジェクト硬貨または旧硬貨）に対応していた場合は、次のようにして当該硬貨の排除が行われる。すなわち、センサＴ’が当該硬貨の到達を検知すると、支持ローラ部６２において、支持軸６３の回動による排除位置（図１４）への切り替えが行われる。この排除位置においては、自由ローラ６５の外周面が通路面３０より低くなり、その上に進入して来た硬貨Ｃが前下がりに傾斜する（図１４（ｂ））。これにより、当該硬貨Ｃは、硬貨案内面６０ａに当接し、これに沿って斜め前方へ案内され、排除孔６０から落下する。
【００６２】
その後、支持ローラ部６２において、支持軸６３の回動による支持位置（図１３）への切り替えが行われ、硬貨を通過させる状態へ復帰する。
【００６３】
［動作・作用］
次に、以上のような構成よりなる本実施形態の動作ないし作用について、（１）大別部Ａにおける処理と（２）金種選別部Ｂ１,Ｂ２及び制御部Ｕ等における処理とに分けて説明する。なお、以下の処理の対象となる硬貨は、上述したように、８つの金種を含む新硬貨としてのユーロ硬貨、旧硬貨およびリジェクト硬貨が混在したものとする。また、上記の構成から明らかな作用ないし動作等については、その記述を一部省略する。
【００６４】
（１）大別部における処理
図１及び図５に示すホッパ１１２に上記処理対象の硬貨が投入されると、それらは流入口１１２ａを通じて、大別部Ａの硬貨投入口１ａに入って行く。図１０において、硬貨投入口１ａに入った硬貨は、回転円盤２の回転に伴って、硬貨導入部１１に進入し、硬貨通路１０内を移送されて行く。
【００６５】
そして、大径硬貨通路１０ａを通って大径硬貨案内部１５ａの乗上げ部１６ａに到達した硬貨のうち、当該乗上げ部１６ａに乗り上げた大径硬貨（旧硬貨）Ｃ１のみが、放出通路１７ａを通って（計数センサ１９ｓによって計数され）放出口１９ａから放出される。その他の中,小径硬貨Ｃ２，Ｃ３は、そのまま中径硬貨通路１０ｂへ通過して行く。
【００６６】
次に、中径硬貨通路１０ｂを通って中径硬貨案内部１５ｂの乗上げ部１６ｂに到達した中,小径硬貨Ｃ２，Ｃ３のうち、当該乗上げ部１６ｂに乗り上げた中径硬貨Ｃ２のみが、放出通路１７ｂを通って放出口１９ｂから放出される。その他の小径硬貨Ｃ３は、そのまま小径硬貨通路１０ｃへ通過して行き、小径硬貨案内部１５ｃの放出口１９ｃから放出される。
【００６７】
そして、大別部Ａの放出口１９ａから放出された大径硬貨Ｃ１は、大径硬貨落下孔８ａ（図７）を通じて、対応する一時保留部１３０内に落下して一時保留される。なお、大径硬貨Ｃ１に属する旧硬貨が１金種のみである場合、その枚数を計数センサ１９ｓ（図９）で計数することで、当該旧硬貨も入金処理の対象とすることができる。一方、大別部Ａの放出口１９ｂ,１９ｃから放出された中,小径硬貨Ｃ２，Ｃ３は、それぞれシュート８ｂ,８ｃを通じて対応する硬貨繰出し部９−１，９−２へ送り込まれる（図５及び図７参照）。
【００６８】
（２）金種選別部および制御部等における処理
図７において、各硬貨繰出し部９−１，９−２へ送り込まれた中,小径硬貨は、それぞれ、繰出し円盤９０の回転に伴って、厚み規制板９４を通過して１枚ずつ各搬送路３−１，３−２へ繰り出される。各搬送路３−１，３−２へ繰り出された硬貨は、搬送手段４によって搬送路下流側へ搬送されて行く。
【００６９】
各搬送路３−１，３−２に沿って搬送される中,小径硬貨は、まず識別部Ｄによって識別を受ける。そして、識別部Ｄによる識別が不能なリジェクト硬貨は、リジェクト選別部６ａによって、選別孔５ａ〜５ｄ,５ｅ〜５ｈの手前で予め選別される。また、識別部Ｄによる識別結果が選別孔５ａ〜５ｄ,５ｅ〜５ｈによる選別の対象外であった旧硬貨は、旧硬貨選別部６ｂによって、それら選別孔５ａ〜５ｄ,５ｅ〜５ｈの手前で予め選別される。
【００７０】
一方、リジェクト選別部６ａ及び旧硬貨選別部６ｂを通過した中,小径硬貨は、各金種選別部Ｂ１，Ｂ２において、金種ごとに対応する選別孔５ａ〜５ｄ,５ｅ〜５ｈから落下することで選別されて行く。そして、各選別孔５ａ〜５ｄ,５ｅ〜５ｈ及び旧硬貨選別部６ｂから落下した硬貨は、それぞれ対応する一時保留部１３０内に一時保留される。なお、リジェクト選別部６ａで選別されたリジェクト硬貨は、最終的にリジェクト箱１１４（図１）内に落下する。
【００７１】
ここで、各一時保留部１３０内に一時保留されたユーロ硬貨（大、中および小径硬貨）および旧硬貨については、（計数手段および演算手段としての）制御部Ｕによって、新通貨単位の合計金額１０１、旧通貨単位の合計金額１０２、新通貨単位への換算金額１０３及び新通貨単位の総合計金額１０４が求められている。これらの金額は、それぞれ表示・操作画面１００ａ（図２、図３）の表示部１０１〜１０４に表示される。
【００７２】
図３に示す例では、新通貨単位の合計金額１０１が 7,818.00/E（ユーロ）、旧通貨単位の合計金額１０２が 2,712.00/DM（ドイツマルク）となっている。また、所定の換算レート（1.95583E/DM（ユーロ／ドイツマルク））に基づく新通貨単位への換算金額１０３が 5,304.00/E（ユーロ）となり、新通貨単位の総合計金額１０４が 7,818.00＋5,304.00＝13,122.00/E（ユーロ）となっている。
【００７３】
このような表示部１０１〜１０４の表示内容に対して、承認ボタン１０６（図２，図３）による承認指示がなされると、（入金処理手段としての）制御部Ｕによって、上記新通貨単位の総合計金額１０４による入金処理が行われる。一方、印字ボタン１０５（図２，図３）による入金承認指示および印字指示がなされると、同様の入金処理が行われると共に、印字部Ｐによる上記レシート（図４）の印字出力が行われる。印字されたレシートは、レシート発行口１００ｃ（図１）から発行され、利用者によって抜き取られる。
【００７４】
入金処理に際して制御部Ｕ（図２）は、各一時保留部１３０の上記駆動回路を動作させることで、各一時保留部１３０内の新硬貨および旧硬貨を、対応する硬貨収納カセット１２４ａ〜１２４ｊ（図５及び図６）内に収納する。また、一時保留部１３０内に一時保留された硬貨のうち、（表示部１０１〜１０４の表示により確認された金額の不一致等により）返却の必要が生じた硬貨は、取消ボタン１０７（図２、図３）による制御部Ｕへの返却指示により、一時保留部１３０から返却箱１１６（図５及び図６）内に移される。
【００７５】
［効  果］
以上説明したように本実施形態によれば、金種選別部Ｂ−１，Ｂ−２の選別孔５ａ〜５ｈで選別される８金種のユーロ硬貨（新硬貨）に加えて、大別部Ａの大径硬貨案内部１５ａで選別される大径硬貨Ｃ１としての旧硬貨や、旧硬貨選別部６ｂで選別される旧硬貨が混在している場合でも、それら全ての硬貨を入金処理の対象とすることができる。すなわち、新通貨単位と旧通貨単位の両通貨単位の硬貨を入金対象とし、新通貨単位の総合計金額１０４による入金処理を行うことができる。
【００７６】
また、表示・操作部１００ａの表示部１０１〜１０４により、新通貨単位の合計金額、旧通貨単位の合計金額、換算金額および新通貨単位の総合計金額を表示することで、それぞれの金額を予め的確に把握し確認した上で、（印字ボタン１０５や承認ボタン１０６による）入金承認指示により最終的な入金処理を行うことができる。また、印字ボタン１０５により入金承認指示と共に印字指示を行うことで、最終的な入金処理を行うと共に、その入金処理の内容を印字出力によりレシートに記録することができる。
【００７７】
なお、本実施形態では、金種選別部Ｂ−１，Ｂ−２の選別孔５ａ〜５ｈで新硬貨を金種ごとに選別すると共に、大別部Ａの大径硬貨案内部１５ａや旧硬貨選別部６ｂで旧硬貨を金種に拘らず選別するようにしている。また、新硬貨保留部としての一時保留部１３０および新硬貨収納部としての硬貨収納カセット１２４ａ〜１２４ｈは、それぞれ新硬貨を金種ごとに一時保留および収納するよう金種別に設けられている。一方、旧硬貨保留部としての一時保留部１３０および旧硬貨収納部としての硬貨収納カセット１２４ｉ，１２４ｊは、それぞれ旧硬貨を金種混合状態で一時保留および収納するように設けられている。従って、再利用される新硬貨は金種ごとに回収し、再利用されずに処分される旧硬貨は混合状態で回収することで、効率的な硬貨の回収を行うことができる。
【００７８】
［変形例］
なお、上記レシートの印字内容は図４に例示したものに限られず、例えば表示・操作部１００ａにける表示部の表示内容と同様、新通貨単位の合計金額１０１、旧通貨単位の合計金額１０２、新通貨単位への換算金額１０３及び新通貨単位の総合計金額１０４のみを印字するようにしてもよい。
【００７９】
また、大別部Ａにおいて硬貨をグループごとに選択的に案内して大別するための案内手段は、上記の具体的構成に限定されるものではなく、他の公知の構成を用いてもよい。さらに、金種選別部Ｂ１，Ｂ２において硬貨を金種ごとに選別する選別部も、上記の具体的構成に限定されるものではなく、電気的手段によるもの等、他の公知の構成を用いてもよい。
【００８０】
【発明の効果】
本発明によれば、新通貨単位と旧通貨単位の両通貨単位の硬貨を入金対象とし、新通貨単位の総合計金額による入金処理を行うことができる。また、表示手段により新通貨単位の合計金額、旧通貨単位の合計金額、換算金額および新通貨単位の総合計金額を表示することで、それぞれの金額を予め的確に把握し確認した上で、入金承認指示により最終的な入金処理を行うことができる。
【図面の簡単な説明】
【図１】 本発明による硬貨入金装置の一実施形態の外観を示す斜視図。
【図２】 図１に示す硬貨入金装置における制御部関係の構成を示すブロック図。
【図３】 図１に示す硬貨入金装置における表示・操作画面の表示内容を示す図。
【図４】 図１に示す硬貨入金装置の印字部から出力されるレシートの印字内容を示す図。
【図５】 図１に示す硬貨入金装置における処理部の内部構造を、当該装置の正面に平行な断面で示す図。
【図６】 図１に示す硬貨入金装置において、収納ユニットを引き出した状態を部分的に拡大して示す図。
【図７】 図１に示す硬貨入金装置の硬貨選別ユニットを示す水平断面図。
【図８】 図７に示す硬貨選別ユニットの大別部を、その軸線を含む断面で示す図。
【図９】 図７に示す硬貨選別ユニットの大別部における固定円盤の裏面側を示す図。
【図１０】 図７に示す硬貨選別ユニットの大別部内での硬貨の動きを示す図。
【図１１】 図１０に示す大別部の（硬貨通過時における）Ｘ−Ｘ断面図。
【図１２】 図１０に示す大別部のＹ−Ｙ断面図。
【図１３】 図７に示す硬貨選別ユニットのリジェクト選別部（通過時）を拡大して示す図であって、（ａ）は平面図、（ｂ）は縦断面図。
【図１４】 図７に示す硬貨選別ユニットのリジェクト選別部（排除時）を拡大して示す図であって、（ａ）は平面図、（ｂ）は縦断面図。
【符号の説明】
Ｃ  硬貨
Ｃ１  大径硬貨
Ｃ２  中径硬貨
Ｃ３  小径硬貨
Ｓ  硬貨選別ユニット
Ａ  大別部
１  固定円盤
１ａ  硬貨投入口
１ｂ  底面
１０  案内通路
１５ａ  大径硬貨案内部（選別手段）
１５ｂ  中径硬貨案内部
１５ｃ  小径硬貨案内部
１９ｓ  計数センサ（計数手段）
２  回転円盤
２ａ  弾性保持部
Ｂ１  中径硬貨用の金種選別部（選別手段）
３−１  搬送路
４  搬送手段
５ａ〜５ｄ  選別孔
Ｂ２  小径硬貨用の金種選別部（選別手段）
３−２  搬送路
５ｅ〜５ｈ  選別孔
Ｄ  識別部（識別手段）
６ａ  リジェクト選別部
６ｂ  旧硬貨選別部
８ａ  大径硬貨落下孔
８ｂ  中径硬貨シュート
８ｃ  小径硬貨シュート
９−１  中径硬貨繰出し部（硬貨繰出し手段）
９−２  小径硬貨繰出し部（硬貨繰出し手段）
１００  情報処理部
１００ａ  表示・操作部
１０１〜１０４  表示部（表示手段）
１０１  新通貨単位の合計金額
１０２  旧通貨単位の合計金額
１０３  新通貨単位への換算金額
１０４  新通貨単位の総合計金額
１０５〜１０７  操作部
１０５  印字ボタン（印字指示手段）
１０６  承認ボタン（承認指示手段）
１１０  硬貨処理部
１１２  ホッパ
１１４  リジェクト箱
１１６  返却箱
１２０  収納ユニット
１２４ａ〜１２４ｄ  中径硬貨用の硬貨収納カセット（新硬貨収納部）
１２４ｅ〜１２４ｈ  小径硬貨用の硬貨収納カセット（新硬貨収納部）
１２４ｉ,１２４ｊ  旧硬貨用の硬貨収納カセット（旧硬貨収納部）
１３０  一時保留部（新硬貨保留部、旧硬貨保留部）
Ｐ  印字部（印字手段）
Ｕ  制御部（計数手段、演算手段、入金処理手段）
【図１】
0004667626.tif 000002
【図２】
0004667626.tif 000003
【図３】
0004667626.tif 000004
【図４】
0004667626.tif 000005
【図５】
0004667626.tif 000006
【図６】
0004667626.tif 000007
【図７】
0004667626.tif 000008
【図８】
0004667626.tif 000009
【図９】
0004667626.tif 000010
【図１０】
0004667626.tif 000011
【図１１】
0004667626.tif 000012
【図１２】
0004667626.tif 000013
【図１３】
0004667626.tif 000014
【図１４】
0004667626.tif 000015